(57)【特許請求の範囲】
【請求項１】
ケーブルを囲むように配置された貫通形変流器を前記ケーブルの近傍に配置された構造物に対して固定する変流器固定装置において、
前記変流器の軸線方向に対して直角な方向に長手方向を向けた一対の部材からなっていて前記変流器の中心軸線から外れた位置に前記変流器の一部の少なくとも外周寄りの部分を間に挟んだ状態で前記変流器の軸線方向に相対するように配置され、長手方向の両端付近が前記変流器から外れた位置で前記変流器の軸線方向に相対するように設けられた一対の固定具と、
前記固定具及び前記変流器に対する摩擦係数が大きく、かつ弾力性を有する材料からなっていて前記一対の固定具のそれぞれと前記変流器との間に介在させられる緩衝部材と、  前記変流器から外れた位置で相対している前記一対の固定具の長手方向の両端附近を互いに引き寄せる方向に締め付けて前記一対の固定具を結合する締結具と、
前記締結具により前記一対の固定具を締め付けた際に前記一対の固定具から前記緩衝部材を介して前記変流器に与えられる締め付け力を許容範囲内に保つために前記一対の固定具の間に配置されて前記一対の固定具の間の間隔を規制するスペーサと、
を具備し、
前記一対の固定具のうちの少なくとも一方が前記構造物に対して固定されること、
を特徴とする変流器固定装置。
【請求項２】
前記締結具は、ボルトと該ボルトに螺合されるナットとからなり、
前記スぺーサは前記締結具を構成するボルトに嵌合されたカラーからなっている請求項１に記載の変流器固定装置。
【請求項３】
前記一対の固定具は、前記変流器の軸線方向に対向する板面を有する一対の矩形板状の部材により形成されている請求項１または２に記載の変流器固定装置。
【請求項４】
横方向に並設された三相のケーブルをそれぞれ囲むように配置された三相の貫通形変流器を前記ケーブルの近傍に配置された構造物に対して固定する変流器固定装置において、  前記三相の変流器のうちの１相の変流器の中心軸線から外れた位置に該１相の変流器の一部の少なくとも外周寄りの部分を間に挟んだ状態で該１相の変流器の軸線方向に相対するように配置され、長手方向の両端付近が前記１相の変流器から外れた位置で前記１相の変流器の軸線方向に相対するように設けられた一対の第１固定具と、
前記第１固定具及び該第１固定具の間に挟まれる変流器に対する摩擦係数が大きく、かつ弾力性を有する材料からなっていて、前記一対の第１固定具のそれぞれと前記１相の変流器との間に介在させられる一対の第１緩衝部材と、
前記１相の変流器から外れた位置で相対している前記一対の第１固定具の長手方向の両端附近を互いに引き寄せる方向に締め付けて該一対の第１固定具を結合する第１締結具と、
前記第１締結具により前記一対の第１固定具を締め付けた際に前記一対の第１固定具から前記第１緩衝部材を介して前記１相の変流器に与えられる締め付け力を許容範囲内に保つために前記一対の第１固定具の間に配置されて前記一対の第１固定具の間の間隔を規制する第１スペーサと、
前記三相の変流器のうちの他の２相の変流器の並設方向に伸びるように設けられて、該２相の変流器のそれぞれの中心軸線から外れた位置に両変流器の一部の少なくとも外周寄りの部分を間に挟んだ状態で両変流器の軸線方向に相対するように配置され、長手方向の両端付近が前記２相の変流器から外れた位置で該２相の変流器の軸線方向に相対するように設けられた一対の第２固定具と、
前記第２固定具及び該第２固定具の間に挟まれる変流器に対する摩擦係数が大きく、かつ弾力性を有する材料からなっていて、前記一対の第２固定具のそれぞれと前記２相の変流器との間に介在させられる一対の第２緩衝部材と、
前記２相の変流器から外れた位置で相対している前記一対の第２固定具の長手方向の少なくとも両端附近を互いに引き寄せる方向に締め付けて該一対の第２固定具を結合する第２締結具と、
前記第２締結具により前記一対の第２固定具を締め付けた際に前記一対の第２固定具から前記第２緩衝部材を介して前記２相の変流器に与えられる締め付け力を許容範囲内に保つために前記一対の第２固定具の間に配置されて前記一対の第２固定具の間の間隔を規制する第２スペーサと、
を具備し、
前記１相の変流器及び前記２相の変流器は縦方向に位置をずらして配置され、
前記一対の第１固定具のうちの少なくとも一方と前記一対の第２固定具のうちの少なくとも一方とが前記構造物に対して固定されること、
を特徴とする変流器固定装置。
【請求項５】
前記一対の第１固定具は、前記１相の変流器の軸線方向に対向する板面を有する一対の矩形状の板材からなり、
前記一対の第２固定具は、前記２相の変流器の軸線方向に対向する板面を有する一対の矩形状の板材からなっている請求項４に記載の変流器固定装置。
【請求項６】
前記変流器は、前記ケーブルの端末処理部を囲むように配置される請求項１，２，３，４または５に記載の変流器固定装置。
【発明の詳細な説明】
【技術分野】
【０００１】
本発明は、電力設備に引き込まれるケーブルに貫通形の変流器を取り付けるために用いる変流器固定装置に関するものである。
【背景技術】
【０００２】
電力系統に設けられる電力設備においては、電力ケーブルを流れる電流の情報を得るために、ケーブルに貫通形の変流器を取り付ける場合がある。例えば配電系統に設けられる地上設置形の開閉器においては、線路電流の情報を子局に与えるために、地下から立ち上げられた三相の電源側の電力ケーブルにそれぞれ貫通形の変流器を取り付けている。
【０００３】
本出願人は、先に、特許文献１に示されているように、変流器をケーブルに対して固定する変流器固定装置を提案した。図１３は、地下から立ち上げられたケーブル１を引き込む電力設備２のケーブル１に、既提案の変流器固定装置３を用いて変流器４を固定した状態を示したものである。変流器固定装置３は、ケーブル１を把持する開閉自在な把持具５を備えていて、把持具５に設けた変流器嵌合溝５ａ内に変流器４の一部を嵌合させ、把持具５によりケーブル１を把持した状態で配置される。変流器４は把持具５に保持された状態でケーブル１に固定される。
【０００４】
また特許文献２に示されたように、変流器の軸線方向の両端面にそれぞれ当接させた一対の環状の押さえ板を締結具により互いに引き寄せる方向に締め付けて、両押さえ板の間に変流器を挟み込んだ状態で固定するようにした変流器固定装置も知られている。
【特許文献１】特開平８−５５７４５号公報
【特許文献２】特開２００１−１９６２５１号
【発明の開示】
【発明が解決しようとする課題】
【０００５】
特許文献１に示された既提案の変流器固定装置（図１３）は、種々の径のケーブル１に適応できるが、ケーブルの径に比べて大幅に径が大きく、把持具を取り付けることが困難なケーブルの端末処理部１ａに変流器を取り付ける必要が生じた場合には対応できないという問題があった。
【０００６】
なお、既提案の変流器固定装置でも、把持具を大形化してケーブル端末処理部を把持し得るように構成すれば、ケーブル端末処理部に変流器を取り付けることができるが、その場合には、変流器固定装置が大形化するため、ケーブルの相間のスペースが狭い場合に変流器を取り付けることができないという問題が生じる。
【０００７】
また変流器の軸線方向の両端面に当接させた一対の環状の押さえ板を締結具で締結することにより、変流器を一対の押さえ板の間に挟み込んだ状態で固定するようにした、特許文献２に示された変流器固定装置によった場合には、変流器を固定する際に押さえ板を締め付け過ぎて、変流器を破損させるおそれがあるため、変流器の取付に熟練を要するという問題があった。
【０００８】
また特許文献１に記載された変流器固定装置も、特許文献２に記載された変流器固定装置も、各相のケーブル毎に個別に固定装置を設ける必要があり、三相のケーブルにそれぞれ変流器を取り付ける場合には３つの固定装置を設ける必要があるため、ケーブル引き込み部の構造が複雑になるという問題があった。
【０００９】
本発明の目的は、ケーブルの端末処理部に変流器を取り付ける場合にも対応することができる上に、ケーブルの相間のスペースが狭い場合にも対応することができる変流器固定装置を提供することにある。
【００１０】
本発明の他の目的は、変流器を固定する際に変流器を損傷するおそれをなくした変流器固定装置を提供することにある。
【００１１】
本発明の更に他の目的は、三相のケーブルにそれぞれ変流器を取り付ける場合に、ケーブル引き込み部の構造の簡素化を図ることができるようにした変流器固定装置を提供することにある。
【課題を解決するための手段】
【００１２】
本発明は、ケーブルを囲むように配置された貫通形変流器をケーブルの近傍に配置された構造物に対して固定する変流器固定装置に係わるものである。
【００１３】
本発明においては、変流器の軸線方向に対して直角な方向に長手方向を向けた一対の部材からなっていて変流器の中心軸線から外れた位置に変流器の一部の少なくとも外周寄りの部分を間に挟んだ状態で変流器の軸線方向に相対するように配置され、長手方向の両端付近が変流器から外れた位置で変流器の軸線方向に相対するように設けられた一対の固定具と、この固定具及び変流器に対する摩擦係数が大きく、かつ弾力性を有する材料からなっていて一対の固定具のそれぞれと変流器との間に介在させられる緩衝部材と、変流器から外れた位置で相対している一対の固定具の長手方向の両端附近を互いに引き寄せる方向に締め付けて一対の固定具を結合する締結具と、この締結具により一対の固定具を締め付けた際に一対の固定具から緩衝部材を介して変流器に与えられる締め付け力を許容範囲内に保つために一対の固定具の間に配置されて一対の固定具の間の間隔を規制するスペーサとを設けて、一対の固定具のうちの少なくとも一方をケーブルの近傍の構造物に固定するようにした。
【００１４】
上記締結具は、ボルトとこのボルトに螺合されるナットとにより構成することができる。ボルトは一対の固定具を貫通した状態で設けられてもよく、一方の固定具に一端を固定したスタッドボルトの形で設けてもよい。このように締結具としてボルト及びナットを用いる場合、一対の固定具の間の間隔を規制するスぺーサは、締結具を構成するボルトに嵌合した状態で配置されるカラーにより構成することができる。
【００１５】
上記一対の固定具は、変流器の軸線方向に対向する板面を有する一対の矩形板状の部材により構成するのが好ましい。
【００１６】
上記のように、変流器の一部の少なくとも外周寄りの部分を間に挟んだ状態で配置される一対の固定具を締結具により締結することにより変流器を保持するとともに、一対の固定具の少なくとも一方をケーブルの近傍の構造物に固定するようにすると、簡単な構造で変流器を所定の位置に位置決めして固定することができる。また固定具は変流器の形状に合わせて環状に形成する必要がなく、矩形などの単純な形状の部材により構成することができるため、その加工を簡単にすることができ、変流器固定装置を安価に製造することができる。
【００１７】
また変流器の軸線方向端面に当接した状態で配置される押さえ部材を用いる場合のように、変流器の形状に適合した部材を用意する必要がなく、変流器の径が多少異なっても同じ固定具を用いて変流器を固定することができるため、種々の仕様の変流器に対して変流器固定装置の共通化を図って、変流器固定装置のコストの低減を図ることもできる。
【００１８】
更に、上記のように、一対の固定具のそれぞれと変流器の軸線方向端面との間に緩衝部材を介在させて、締結具による締め付け力を固定具から緩衝部材を介して変流器に伝達するようにするとともに、一対の固定具の間にスぺーサを配置して両固定具の間の間隔を規制すると、変流器に無理な力を加えることなく変流器を固定することができるため、変流器が破損するのを防ぐことができる。
【００１９】
ケーブルを把持する把持具を介して変流器をケーブルに固定するようにしていた既提案の変流器固定装置では、ケーブルを把持する把持具に変流器を保持させることにより変流器をケーブルに固定していたため、隣り合うケーブル相互間のスペースが狭く、ケーブルに把持具を取り付けることが困難な場合や、把持具を取り付けることができないケーブルの端末処理部を囲むように変流器が配置される場合には適用できなかったが、本発明に係わる変流器固定装置では、変流器の外周寄りの部分を挟持する固定具を設けて、この固定具をケーブルの近傍の構造物に固定することにより変流器を一定の位置に固定するようにしたので、隣り合うケーブル相互間のスペースが狭い場合にも問題なく適用することができる。
【００２０】
本発明の好ましい態様では、横方向に並設された三相のケーブルをそれぞれ囲むように配置された三相の貫通形変流器をケーブルの近傍に配置された構造物に対して固定する場合に、変流器固定装置を下記（ａ）ないし（ｈ）の要素により構成する。
（ａ）三相の変流器のうちの１相の変流器の中心軸線から外れた位置に該１相の変流器の一部の少なくとも外周寄りの部分を間に挟んだ状態で該１相の変流器の軸線方向に相対するように配置され、長手方向の両端付近が前記１相の変流器から外れた位置で前記１相の変流器の軸線方向に相対するように設けられた一対の第１固定具。
（ｂ）第１固定具及び該第１固定具の間に挟まれる変流器に対する摩擦係数が大きく、かつ弾力性を有する材料からなっていて、一対の第１固定具のそれぞれと１相の変流器との間に介在させられる一対の第１緩衝部材。
（ｃ）１相の変流器から外れた位置で相対している一対の第１固定具の少なくとも長手方向の両端附近を互いに引き寄せる方向に締め付けて該一対の第１固定具を結合する第１締結具。
（ｄ）第１締結具により一対の第１固定具を締め付けた際に一対の第１固定具から第１緩衝部材を介して１相の変流器に与えられる締め付け力を許容範囲内に保つために一対の第１固定具の間に配置されて一対の第１固定具の間の間隔を規制する第１スペーサ。
（ｅ）三相の変流器のうちの他の２相の変流器の並設方向に伸びるように設けられて、該２相の変流器のそれぞれの中心軸線から外れた位置に両変流器の一部の少なくとも外周寄りの部分を間に挟んだ状態で両変流器の軸線方向に相対するように配置され、長手方向の両端付近が前記２相の変流器から外れた位置で該２相の変流器の軸線方向に相対するように設けられた一対の第２固定具。
（ｆ）第２固定具及び該第２固定具の間に挟まれる変流器に対する摩擦係数が大きく、かつ弾力性を有する材料からなっていて、一対の第２固定具のそれぞれと２相の変流器との間に介在させられる一対の第２緩衝部材。
（ｇ）２相の変流器から外れた位置で相対している一対の第２固定具の少なくとも長手方向の両端附近を互いに引き寄せる方向に締め付けて該一対の第２固定具を結合する第２締結具。
（ｈ）第２締結具により一対の第２固定具を締め付けた際に一対の第２固定具から第２緩衝部材を介して２相の変流器に与えられる締め付け力を許容範囲内に保つために一対の第２固定具の間に配置されて一対の第２固定具の間の間隔を規制する第２スペーサ。
【００２１】
この場合、１相の変流器及び２相の変流器は縦方向に位置をずらして配置され、一対の第１固定具のうちの少なくとも一方と一対の第２固定具のうちの少なくとも一方とがケーブルの近傍の構造物に対して固定される。
【００２２】
上記第１固定具を取り付けるＵＶＷ三相の変流器のうちの２相の変流器は、隣り合う２相（Ｕ相及びＶ相、またはＶ相及びＷ相）の変流器でもよく、両端の２相（Ｕ相及びＷ相）の変流器でもよい。
【００２３】
上記一対の第１固定具は、１相の変流器の軸線方向に対向する板面を有する一対の矩形状の板材により構成することができ、また一対の第２固定具は、２相の変流器の軸線方向に対向する板面を有する一対の矩形状の板材により構成することができる。
【００２４】
上記のように構成すると、三相の変流器を２組の固定具を用いて固定することができるため、ケーブル引き込み部の構造の簡素化を図ることができる。
【発明の効果】
【００２５】
以上のように、本発明によれば、変流器の中心軸線から外れた位置で、変流器の一部の少なくとも外周寄りの部分を間に挟んだ状態で配置される一対の固定具を締結具により締結することにより変流器を保持するとともに、一対の固定具の少なくとも一方をケーブルの近傍の構造物に固定するようにしたので、簡単な構造で変流器を所定の位置に位置決めして固定することができる。
【００２６】
また本発明によれば、固定具を変流器の形状に合わせて環状に形成する必要がなく、矩形などの単純な形状の板材により構成することができるため、その加工を簡単にすることができ、変流器固定装置を安価に製造することができる。
【００２７】
更に本発明によれば、変流器の軸線方向端面に当接した状態で配置される押さえ部材を用いる場合のように、変流器の形状に適合した部材を用意する必要がなく、変流器の径が多少異なっても同じ固定具を用いて変流器を固定することができるため、種々の仕様の変流器に対して変流器固定装置の共通化を図って、変流器固定装置のコストの低減を図ることができる。
【００２８】
本発明によればまた、一対の固定具のそれぞれと変流器の軸線方向端面との間に緩衝部材を介在させて、締結具による締め付け力を固定具から緩衝部材を介して変流器に伝達するようにするとともに、一対の固定具の間にスぺーサを配置して両固定具の間の間隔を規制するようにしたので、変流器に無理な力を加えることなく変流器を固定することができ、変流器を固定する際に変流器が破損するのを防ぐことができる。
【００２９】
また本発明によれば、変流器の外周寄りの部分を間に挟んで保持する固定具を設けて、この固定具をケーブルの近傍の構造物に固定することにより変流器を一定の位置に固定するようにしたので、隣り合うケーブル相互間のスペースが狭い場合や、変流器をケーブルの端末処理部に取り付ける場合にも問題なく適用することができるという利点がある。
【００３０】
更に、本発明において、三相のケーブルのうちの１相のケーブルに取り付けられる１相の変流器に対して第１固定具と第１締結具と第１緩衝部材とを備えた一組の固定装置を設け、他の２相のケーブルにそれぞれ取り付けられる２相の変流器に対して第２固定具と第２締結具と第２緩衝部材とを備えた他の一組の固定装置を設けるようにした場合には、三相のケーブルにそれぞれ取り付けられる三相の変流器を２組の固定装置により固定することができるため、ケーブル引き込み部の構造の簡素化を図ることができる。
【発明を実施するための最良の形態】
【００３１】
以下、配電系統に設置される地上設置形開閉器に地下から引き込まれる三相のケーブルに変流器を取り付ける場合を例にとって、本発明に係わる変流器固定装置の一実施形態を説明する。
【００３２】
図１ないし図３は、地上設置形開閉器の要部の構成を示したもので、これらの図において１０は架台、１１は架台１０の上に支持された金属容器で、容器１１内に三相の開閉器が収容されている。架台１０は、形鋼材を組み合わせて溶接することにより矩形状に構成されたベース１０ａと、ベース１０ａに下端が溶接された支柱１０ｂ，１０ｃ等を有している。
【００３３】
１２ｕないし１２ｗはそれぞれ地下溝のケーブル引き出し口１３から立ち上げられた三相の電源側の電力ケーブル、１２auないし１２awはそれぞれケーブル１２ｕないし１２ｗの端末処理部である。端末処理部１２auないし１２awの上端にはコネクタ１４ｕないし１４ｗが設けられていて、これらのコネクタは容器１１の底部に取り付けられて容器内で開閉器に接続されたブッシング１５ｕないし１５ｗに接続されている。
【００３４】
三相のケーブル１２ｕないし１２ｗは所定の間隔を隔てて横方向に並べて配置され、これらのケーブルに対してそれぞれ貫通形の変流器１６ｕないし１６ｗが設けられている。
変流器１６ｕないし１６ｗは、例えば環状の鉄心に二次コイルをトロイダル状に巻回して、鉄心と二次コイルとを絶縁樹脂でモールドしたもので、各変流器はその全体がほぼ円環状（リング状）を呈するように構成されている。
【００３５】
変流器１６ｕないし１６ｗの樹脂モールド部の外周部の一部には、該樹脂モールド部の外周面から径方向の外側に突出した突出部１６auないし１６awが設けられていて、これらの突出部の先端に円錐台状の信号ケーブル導出部１８ｕないし１８ｗが突設されている。
変流器１６ｕないし１６ｗの二次コイルの両端に心線の一端が接続された信号ケーブル１７ｕないし１７ｗが、突出部１６auないし１６aw内と円錐台状の信号ケーブル導出部１８ｕないし１８ｗ内とを通して外部に導出され、信号ケーブル導出部１８ｕないし１８ｗが突出部１６auないし１６awと信号ケーブル１７ｕないし１７ｗの絶縁被覆とに一体化されることにより、信号ケーブル１７ｕないし１７ｗと変流器１６ｕないし１６ｗとのそれぞれの接続部の防水が図られている。信号ケーブル１７ｕないし１７ｗの心線の他端は、図示しないコネクタを介して子局に設けられた相手側コネクタに接続され、変流器１６ｕないし１６ｗにより検出された線路電流の情報がそれぞれ信号ケーブル１７ｕないし１７ｗを通して子局に伝送されるようになっている。
【００３６】
三相の変流器１６ｕないし１６ｗはそれぞれケーブル１２ｕないし１２ｗを囲むように配置されて、変流器固定装置２０によりケーブルの近傍にある構造物に固定される。本実施形態では、変流器１６ｕないし１６ｗがそれぞれ、ケーブル１２ｕないし１２ｗの端末処理部１２auないし１２awを囲むように配置されている。本実施形態ではまた、変流器固定装置２０が、三相の変流器１６ｕないし１６ｗのうちの、中央の１相（Ｖ相）の変流器を固定する第１の固定装置２１と、この第１の固定装置２１に対して縦方向に位置をずらして配置されて、両端の２相（Ｕ相及びＷ相）の変流器１６ｕ及び１６ｗを固定する第２の固定装置３１とにより構成されている。以下これらの固定装置の構成について説明する。
【００３７】
図４及び図５は第１の固定装置２１によりＶ相の変流器１６ｖを固定した状態を示したものである。第１の固定装置２１は、Ｖ相の変流器１６ｖの中心軸線から外れた位置で該変流器１６ｖの一部の少なくとも外周寄りの部分を間に挟んだ状態でＶ相の変流器１６ｖの軸線方向に相対するように配置される一対の第１固定具２３，２３′と、一対の第１固定具２３，２３′のそれぞれと変流器１６ｖとの間に介在させられる第１緩衝部材２４，２４′と、変流器１６ｖから外れた位置で相対している一対の第１固定具２３，２３′の長手方向の両端附近を互いに引き寄せる方向に締め付けて該一対の第１固定具を結合する一対の第１締結具２５，２５と、第１締結具２５，２５により一対の第１固定具２３，２３′を締め付けた際に一対の第１固定具２３，２３′から第１緩衝部材２４，２４′を介してＶ相の変流器１６ｖに与えられる締め付け力を許容範囲内に保つために一対の第１固定具２３，２３′の間に配置されて一対の第１固定具２３，２３′の間の間隔を規制する第１スペーサ２６，２６とにより構成されている。
【００３８】
第１固定具２３，２３′は、鋼板などの十分な強度を有する材料からなる板状の部材からなっている。図示の例では、図６（Ａ），（Ｂ）及び図７（Ａ），（Ｂ）に示されているように、第１固定具２３，２３′が矩形板状に形成されていて、第１固定金具２３，２３′の一方２３（図７Ａ，Ｂ参照）の幅寸法が他方２３′の幅寸法よりも大きく設定されている。一方の第１固定具２３の長手方向の両端には、第１固定具２３，２３′を締結する締結具を通すための孔２３ａ，２３ａが形成され、他方の第１固定具２３′の両端には第１固定具２３の孔２３ａ，２３ａに整合する孔２３ａ′，２３ａ′が形成されている。一方の第１固定具２３の長手方向の両端にはまた、該固定具２３を架台１０に固定するためのボルトを通すための孔２３ｂ，２３ｂが形成されている。
【００３９】
第１緩衝部材２４，２４′は、ゴムやスポンジなどの第１固定具２３，２３′及び変流器１６ｖに対する摩擦係数が大きく、かつ弾力性を有する材料からなっている。図６及び図７に示されているように、第１緩衝部材２４，２４′は、第１固定具２３，２３′の対向面に貼り付けられている。第１緩衝部材２４，２４′は、後記するボルト及びスぺーサが配設される部分を避けた状態で第１固定具２３，２３′の対向面を覆うように設けられている。
【００４０】
また第１固定具２３，２３′の長手方向の両端を締結する第１締結具２５，２５は、一方の第１固定具２３の両端の孔２３ａ，２３ａ及び他方の第１固定具２３′の両端の孔２３ａ′，２３ａ′を貫通した状態で配置されるボルト２５ａ，２５ａと、これらのボルト２５ａ，２５ａに螺合されて両ボルトを第１固定具２３に固定するロックナット２５ｂ，２５ｂと、第１固定具２３′の孔２３ａ′，２３ａ′を通して第１固定具２３′の上方に突出したボルト２５ａ，２５ａの先端に螺合されるナット２５ｃ，２５ｃと、ナット２５ｃ，２５ｃと第１固定具２３′との間に挿入されるバネワッシャ２５ｄ，２５ｄとからなっている。
【００４１】
図示の第１スぺーサ２６，２６は、締結具２５，２５を構成するボルト２５ａ，２５ａに嵌合された状態で配置されるカラーからなっていて、一対の第１固定具２３，２３′間に介在して、締結具２５，２５により固定具２３，２３′を締め付けた際に両固定具の間の間隔が一定値以下にならないように規制する。
【００４２】
上記第１固定具２３，２３′は、その少なくとも一方がケーブルの近傍の構造物に固定された状態で設けられる。本実施形態では、一方の第１固定具２３を架台１０に対して固定するため、架台１０の支柱１０ｂ，１０ｃに変流器取付板２９（図１参照）が溶接され、この取付板２９に、第１固定具２３に設けられた孔２３ｂ，２３ｂに整合するねじ孔が設けられている。
【００４３】
上記第１の固定装置２１により変流器１６ｖを固定する際には、図８に示されているように、先ず一方の第１固定具２３の孔２３ａ，２３ａにボルト２５ａ，２５ａを挿入して、ロックナット２５ｂ，２５ｂによりボルト２５ａ，２５ａを固定具２３に固定し、ボルト２５ａ，２５ａにスぺーサ２６，２６を構成するカラーを嵌合させる。次いで、第１固定具２３の孔２３ｂ，２３ｂに挿入したボルト２８（図２参照）を、変流器取付板２９に設けられたねじ孔にねじ込むことにより第１固定具２３を構造物に固定する。
【００４４】
上記のようにして一方の第１固定具２３をケーブルの近傍の構造物に固定した後、ケーブル１２ｖまたは該ケーブルの端末処理部１２avが貫通した変流器１６ｖの一部の外周寄りの部分（好ましくは端子部１６avとその近傍の部分）の下面を第１固定具２３の緩衝部材２４が貼り付けられた部分に当接させ、他方の第１固定具２３′の孔２３ａ′，２３ａにスぺーサ２６，２６の上端から突出したボルト２５ａ，２５ａの先端を嵌合させて、第１固定具２３′の緩衝部材２４′が貼り付けられた部分を変流器１６ｖの外周寄りの部分に当接させる。次いで第１固定具２３′から上方に突出しているボルト２５ａ，２５ａの先端にバネワッシャ２５ｄ，２５ｄを嵌合させた後、ボルト２５ａ，２５ａの先端にナット２５ｃ，２５ｃを螺合させてこれらのナットを締め付けることにより、第１固定具２３，２３′を互いに引き寄せる方向に締め付け、これらの固定具の間に変流器１６ｖを挟み込んだ状態で変流器１６ｖをケーブル近傍の構造物に固定する。
【００４５】
図９及び図１０は第２の固定装置３１によりＵ相及びＷ相の変流器１６ｕ及び１６ｗを固定した状態を示したものである。第２の固定装置３１は、三相の変流器のうちの他の２相の変流器１６ｕ及び１６ｗの並設方向に伸びるように設けられて、該２相の変流器１６ｕ，１６ｗのそれぞれの中心軸線から外れた位置で両変流器の一部の少なくとも外周寄りの部分を間に挟んだ状態で両変流器の軸線方向に相対するように配置される一対の第２固定具３３，３３′と、ゴムやスポンジなどからなっていて、一対の第２固定具３３，３３′のそれぞれと２相の変流器との間に介在させられる一対の第２緩衝部材３４，３４′と、２相の変流器から外れた位置で相対している一対の第２固定具の少なくとも長手方向の両端附近を互いに引き寄せる方向に締め付けて該一対の第２固定具を結合する第２締結具３５と、第２締結具により一対の第２固定具３３，３３′を締め付けた際に一対の第２固定具から第２緩衝部材３４，３４′を介して２相の変流器に与えられる締め付け力を許容範囲内に保つために一対の第２固定具３３，３３′の間に配置されて一対の第２固定具３３，３３′の間の間隔を規制する第２スペーサ３６とにより構成されている。
【００４６】
第２固定具３３，３３′も、鋼板などの十分な強度を有する材料からなる矩形板状の部材からなっている。第２固定具３３，３３′の構成は、両固定具を構成する板材が２つの変流器１６ｕ，１６ｗを挟持するのに必要な長さを有している点、両固定具を構成する板材の幅寸法が等しく設定されている点、締結具３５を構成するボルトを通すための孔が両固定具を構成する板材の長手方向の両端と中間部との３箇所に設けられている点、第１固定具２３に設けられる孔２３ｂに相当する孔が設けられていない点を除き、第１固定具２３，２３′と同様に構成されている。第２固定具３３，３３′の対向面には、両固定具３３，３３′を構成する板材の締結具３５を構成するボルト及びスぺーサが設けられる部分を避けた状態で、第２緩衝部材３４，３４′が貼り付けられている。
【００４７】
図９に示されているように、第２締結具３５は、第２固定具３３，３３′の長手方向の両端と中間部との３箇所を締結するように設けられている。各第２締結具３５は、一方の第２固定具３３の孔及び他方の第２固定具３３′の孔を貫通した状態で配置されるボルト３５ａと、ボルト３５ａに螺合されて両ボルトを第２固定具３３に固定するロックナット３５ｂと、第２固定具３３′の孔を通して第２固定具３３′の上方に突出したボルト３５ａの先端に螺合されるナット３５ｃと、ナット３５ｃと第２固定具３３′との間に挿入されるバネワッシャ３５ｄにより第１締結具２５と同様に構成されている。
【００４８】
各締結具３５を構成するボルト３５ａに嵌合された状態で配置されるカラーにより、第２スぺーサ３６が構成されている。各スぺーサ３６は、一対の第２固定具３３，３３′間に介在して、締結具３５により固定具３３，３３′を互いに引き寄せるように締め付けた際に両固定具の間の間隔が一定値以下にならないように規制する。
【００４９】
第２固定具３３を架台１０に固定するため、第２固定具３３の両端に相応する位置に位置させて、架台１０の支柱１０ｂ，１０ｃに変流器取付板３９，３９（図１参照）が溶接され、これらの変流器取付板には、第２固定具３３の両端に設けられた孔に整合する貫通孔が設けられている。
【００５０】
上記第２の固定装置３１により変流器１６ｕ，１６ｗを固定する際には、先ず一方の第２固定具３３を架台１０に溶接された変流器取付板３９，３９の上に載せて、変流器取付板３９，３９に設けられた貫通孔と第２固定具３３の両端に設けられた孔とにボルト３５ａを挿入し、各ボルト３５に螺合させたロックナット３５ｂを締めることにより、各ボルト３５を第２固定具３３に対して固定するとともに、第２固定具３３を変流器取付板３９，３９に対して締結する。また第２固定具３３の中間部に設けられた孔に締結具３５を構成するボルト３５ａを挿入して、このボルトをロックナット３５ｂにより第２固定具３３に固定しておく。その後、第２固定具３３から上方に突出した３本のボルト３５ａのそれぞれにスぺーサ３６を構成するカラーを嵌合させる。
【００５１】
上記のようにして一方の第２固定具３３をケーブルの近傍の構造物に固定した後、ケーブル１２ｕの端末処理部１２auが貫通した変流器１６ｕの一部の外周寄りの部分（好ましくは端子部１６auとその近傍の部分）の下面と、ケーブル１２ｗの端末処理部１２aｗが貫通した変流器１６ｗの一部の外周寄りの部分（好ましくは端子部１６awとその近傍の部分）の下面とを第２固定具３３の緩衝部材３４が貼り付けられた部分に当接させ、各スぺーサ３６の上端から突出したボルト３５ａの先端を他方の第２固定具３３′の相応する孔に嵌合させて、第２固定具３３′の緩衝部材３４′が貼り付けられた部分を変流器１６ｕ及び１６ｗの外周寄りの部分に当接させる。次いで第２固定具３３′から上方に突出している各ボルト３５ａの先端にバネワッシャ３５ｄを嵌合させた後、各ボルト３５ａの先端にナット３５ｃを螺合させてこのナットを締め付けることにより、第２固定具３３，３３′を互いに引き寄せる方向に締め付ける。これにより、第２固定具３３，３３′の間に変流器１６ｕ，１６ｗを挟み込んだ状態で両変流器をケーブル近傍の構造物に固定する。
【００５２】
上記の実施形態のように、変流器をケーブルに固定するのではなく、変流器を一対の固定具の間に挟んだ状態で一対の固定具の少なくとも一方をケーブルの近傍の構造物に対して固定するようにすると、ケーブルの相間の距離が短い場合でも変流器を容易に一定の位置に固定することができる。
【００５３】
また上記のように、固定具と変流器との間に緩衝部材を介在させておくとともに、一対の固定具の間にスぺーサを配置して、該スぺーサにより一対の固定具の間の間隔が一定値以下に狭まることがないようにしておくと、変流器を固定する際に変流器に無理な力が加わるのを防ぐことができるため、変流器を固定する際に変流器を損傷するおそれをなくすことができる。
【００５４】
上記のように、三相のケーブルのうちの１相のケーブルに取り付けられる変流器に対して第１固定具と第１締結具と第１緩衝部材とを備えた第１の固定装置２１を設け、他の２相のケーブルにそれぞれ取り付けられる２相の変流器に対して第２固定具と第２締結具と第２緩衝部材とを備えた第２の固定装置３１を設けるようにすると、三相のケーブルにそれぞれ取り付けられる三相の変流器を２組の固定装置により固定することができるため、ケーブル引き込み部の構造の簡素化を図ることができる。
【００５５】
上記の実施形態では、Ｖ相の変流器１６ｖを第１の固定装置２１により固定し、Ｕ相及びＷ相の変流器１６ｕ及び１６ｗを第２の固定装置３１により固定するようにしたが、一つの固定装置により一括して固定する変流器の組み合わせは、Ｕ相及びＷ相に限られるものではない。例えば、Ｕ相及びＶ相の変流器１６ｕ及び１６ｖを一括して固定するように第２の固定装置３１を構成し、他の１相の変流器１６ｗを単独で固定するように第１の固定装置２１を構成してもよく、Ｖ相及びＷ相の変流器１６ｖ及び１６ｗを一括して固定するように第２の固定装置３１を構成し、他の１相の変流器１６ｕを単独で固定するように第１の固定装置２１を構成してもよい。
【００５６】
上記の実施形態では、三相の変流器のうちの１相の変流器を第１の固定装置２１により固定し、他の２相の変流器を第２の固定装置３１により固定するようにしたが、各相の変流器に対して個別に第１の固定装置２１と同様な固定装置を設けて、各相の変流器を個別に固定するように変流器固定装置を構成してもよい。この場合、三相の変流器をそれぞれ固定する固定装置を、相互に縦方向に位置をずらして配置するようにすると、ケーブルの相間の寸法が短い場合にも容易に変流器を固定することができる。
【００５７】
また３相のケーブルの相間のスペースが十分にある場合には、３相の変流器を横一列に並べて配置して、これら３相の変流器を１組の固定装置により一括して、ケーブルの近傍の構造物に固定することもできる。
【００５８】
上記の実施形態では、第１の固定装置及び第２の固定装置において、一対の固定具の片方のみをケーブルの近傍の構造物（上記の例では架台）に対して固定するようにしたが、一対の固定具の双方をケーブルの近傍の構造物に固定するようにしてもよい。
【００５９】
上記の実施形態では一対の固定具の一方を、架台に溶接された変流器取付板にボルト止めするようにしたが、本発明においては、変流器を挟持する一対の固定具の少なくとも一方をケーブルの近傍の構造物に固定すればよく、固定具の固定の仕方は任意である。
【００６０】
上記の実施形態では、第２の固定装置の一対の固定具３３，３３′の長手方向の両端と、長手方向の中間部とを締結具により締結するようにしたが、一対の固定具３３，３３′の長手方向の両端のみを締結具により締結するようにしてもよい。
【００６１】
上記の実施形態では、一対の固定具を互いに引き寄せる方向に締め付ける締結具として通常のボルトとナットとを用いているが、一対の固定具の一方に溶接などにより固定したスタッドボルトと該スタッドボルトに螺合されるナットとにより各締結具を構成することもできる。
【００６２】
上記の実施形態では、一対の固定具を鋼板等の金属板により構成するとしたが、固定具は十分な強度を有する材料により構成されていればよく、固定具を構成する材料は必ずしも金属に限らない。例えば繊維強化樹脂（ＦＲＰ）により固定具を構成することもできる。
【００６３】
上記の実施形態では、一対の固定具のそれぞれが矩形板状に形成されているが、一対の固定具は、両者の間に変流器の一部の少なくとも外周寄りの部分を挟持し得る形状であればよく、必ずしも各固定具を矩形板状に形成する必要はない。
【００６４】
上記の説明では、緩衝部材をゴムまたはスポンジにより構成するとしたが、緩衝部材は該緩衝部材が接触する固定具及び変流器に対して摩擦係数が大きく、かつ十分な弾力性を有するものであればよく、ゴムまたはスポンジに限定されない。例えば、発泡性樹脂材料により緩衝部材を構成することもできる。
【図面の簡単な説明】
【００６５】
【図１】本発明の実施形態の要部の構成を示した正面図である。
【図２】図１の要部の左側面図である。
【図３】同実施形態の要部の斜視図である。
【図４】同実施形態で用いる第１の固定装置の構成を示した側面図である。
【図５】図４の上面図である。
【図６】（Ａ）及び（Ｂ）はそれぞれ同実施形態で用いる第１の固定装置を構成する    上側の固定具を緩衝部材とともに示した正面図及び底面図である。
【図７】（Ａ）及び（Ｂ）はそれぞれ同実施形態で用いる第１の固定装置を構成する    下側の固定具を緩衝部材とともに示した上面図及び正面図である。
【図８】同実施形態で用いる第１の固定装置の分解正面図である。
【図９】同実施形態で用いる第２の固定装置の構成を示した側面図である。
【図１０】図９の上面図である。
【図１１】地上設置形開閉器の架台に本実施形態に係わる変流器固定装置により変流    器を固定した状態を示した側面図である。
【図１２】図１１の上面図である。
【図１３】従来の変流器固定装置を示した側面図である。
【符号の説明】
【００６６】
１０  地上設置形開閉器の架台
１２ｕ〜１２ｗ  ケーブル
１６ｕ〜１６ｗ  変流器
２１  第１の固定装置
２３，２３′  第１固定具
２４，２４′  第１緩衝部材
２５  第１締結具
２６  第１スぺーサ
２９  変流器取付板
３１  第２の固定装置
３３，３３′  第２固定具
３４，３４′  第２緩衝部材
３５  第２締結具
３６  第２スぺーサ
３９  変流器取付板
【図１】
0004709620.tif 000002
【図２】
0004709620.tif 000003
【図３】
0004709620.tif 000004
【図４】
0004709620.tif 000005
【図５】
0004709620.tif 000006
【図６】
0004709620.tif 000007
【図７】
0004709620.tif 000008
【図８】
0004709620.tif 000009
【図９】
0004709620.tif 000010
【図１０】
0004709620.tif 000011
【図１１】
0004709620.tif 000012
【図１２】
0004709620.tif 000013
【図１３】
0004709620.tif 000014